(57)【要約】【課題】セキュリティレベルのより高い管理システム、管理方法及びプログラムを提供する。【解決手段】表示部１０は、複数の人物の顔を含む画像を表示画面２Ａに表示する。人物特定部１２は、表示画面２Ａを見る被検者Ｐの視線Ｓの方向を検出し、表示画面２Ａに表示された画像から、検出した視線Ｓの方向に基づいて、被検者Ｐが注視する画像に対応する人物を特定する。認証コード記憶部１４は、表示画面２Ａに表示された画像に対応する人物で表現される認証コードを記憶する。認証部１３は、人物特定部１２で特定された人物から成るコードと認証コードとが一致することにより、被検者Ｐを認証する。【選択図】図１
2018195141.tif 000002
【特許請求の範囲】
【請求項１】
複数の人物の顔を含む画像を表示画面に表示する表示部と、
前記表示画面を見る被検者の視線方向を検出し、検出した視線方向に基づいて、前記被検者が注視する画像に対応する人物を特定する人物特定部と、
前記人物特定部で特定された人物に基づいて、前記被検者の認証処理又は特定した人物に関するデータ処理を行う処理部と、
を備える管理システム。
【請求項２】
前記処理部は、
前記表示画面に表示された画像に対応する人物で表現される認証コードを記憶する認証コード記憶部と、
前記人物特定部で特定された人物から成るコードと前記認証コードとが一致するか否かにより、前記被検者を認証する認証部と、
を備える、
請求項１に記載の管理システム。
【請求項３】
前記表示部は、
前記人物特定部で人物が特定される度に、前記表示画面に表示される複数の人物の顔画像の位置又は配列をランダムに変化させる、
請求項２に記載の管理システム。
【請求項４】
前記認証コードを表現する人物を、セキュリティ対象に属する人物に限定する、
請求項２又は３に記載の管理システム。
【請求項５】
前記人物特定部は、
前記被検者が閾値を超える時間を超えて同じ人物の画像を見続けた場合に、
その画像に対応する人物を、前記被検者が注視する人物として特定する、
請求項２から４のいずれか一項に記載の管理システム。
【請求項６】
前記表示部は、
複数の人物の顔を含む画像として集合写真の画像を表示する、
請求項２から５のいずれか一項に記載の管理システム。
【請求項７】
前記認証部は、
前記人物特定部で特定された人物の中から、被検者本人を抽出する、
請求項２から６のいずれか一項に記載の管理システム。
【請求項８】
前記認証部が認証に成功し、被検者本人を抽出すると、抽出した被検者本人の認証時刻を記憶する認証時刻記憶部をさらに備える、
請求項７に記載の管理システム。
【請求項９】
前記認証コード記憶部は、前記被検者毎に前記認証コードを記憶し、
前記認証部は、抽出した被検者本人に対応する前記認証コードを読み込んで、認証を行う、
請求項７に記載の管理システム。
【請求項１０】
複数の人物の顔を含む画像を表示画面に表示する表示ステップと、
前記表示画面を見る被検者の視線方向を検出し、検出した視線方向に基づいて、前記被検者が注視する画像に対応する人物を特定する人物特定ステップと、
前記人物特定ステップで特定された人物に基づいて、前記被検者の認証処理又はデータ処理を行う処理ステップと、
を含む管理方法。
【請求項１１】
コンピュータを、
複数の人物の顔を含む画像を表示画面に表示する表示部、
前記表示画面を見る被検者の視線方向を検出し、検出した視線方向に基づいて、前記被検者が注視する画像に対応する人物を特定する人物特定部、
前記人物特定部で特定された人物に基づいて、前記被検者の認証処理又はデータ処理を行う処理部、
として機能させるプログラム。
【発明の詳細な説明】
【技術分野】
【０００１】
本発明は、視線の動きによる入室管理システムに関する。
【背景技術】
【０００２】
入室管理システムとは、ある領域（部屋や建物）においてその入り口時点で人物の進入の可否を判別するための認証システムのことである。現在、このような認証システムでは、主として４桁のＰＩＮコードの押下による暗証番号による認証や、ＩＣカードによる認証など、種々の認証方法が多く利用されている（例えば、特許文献１、２参照）。
【先行技術文献】
【特許文献】
【０００３】
【特許文献１】再公表特許第２０１４／１１５２４３号
【特許文献２】特開２０１４−９２９４０号公報
【発明の概要】
【発明が解決しようとする課題】
【０００４】
上述のような認証方法では、押下によって残された痕跡の採取やカードの盗難・偽造によるなりすましなどの犯罪が後を絶たない。そこで、上述した認証方法の代替案として指紋や虹彩といった生体情報を用いた認証システムの導入が進められている。しかし、このような認証システムでは、導入コストが高額であることや生体情報が複製された場合に変更が困難であることなどの問題点があげられている。
【０００５】
上記特許文献１、２に開示された認証方法では、被検者の視線の方向により認証を行っているが、この場合でも、視線の方向を他人に読まれると、他者による再現が可能となるというリスクがある。
【０００６】
本発明は、上記実情に鑑みてなされたものであり、セキュリティレベルのより高い管理システム、管理方法及びプログラムを提供することを目的とする。
【課題を解決するための手段】
【０００７】
上記目的を達成するために、本発明の第１の観点に係る管理システムは、
複数の人物の顔を含む画像を表示画面に表示する表示部と、
前記表示画面を見る被検者の視線方向を検出し、検出した視線方向に基づいて、前記被検者が注視する画像に対応する人物を特定する人物特定部と、
前記人物特定部で特定された人物に基づいて、前記被検者の認証処理又は特定した人物に関するデータ処理を行う処理部と、
を備える。
【０００８】
この場合、前記処理部は、
前記表示画面に表示された画像に対応する人物で表現される認証コードを記憶する認証コード記憶部と、
前記人物特定部で特定された人物から成るコードと前記認証コードとが一致するか否かにより、前記被検者を認証する認証部と、
を備える、
こととしてもよい。
【０００９】
前記表示部は、
前記人物特定部で人物が特定される度に、前記表示画面に表示される複数の人物の顔画像の位置又は配列をランダムに変化させる、
こととしてもよい。
【００１０】
前記認証コードを表現する人物を、セキュリティ対象に属する人物に限定する、
こととしてもよい。
【００１１】
前記人物特定部は、
前記被検者が閾値を超える時間を超えて同じ人物の画像を見続けた場合に、
その画像に対応する人物を、前記被検者が注視する人物として特定する、
こととしてもよい。
【００１２】
前記表示部は、
複数の人物の顔を含む画像として集合写真の画像を表示する、
こととしてもよい。
【００１３】
前記認証部は、
前記人物特定部で特定された人物の中から、被検者本人を抽出する、
こととしてもよい。
【００１４】
前記認証部が認証に成功し、被検者本人を抽出すると、抽出した被検者本人の認証時刻を記憶する認証時刻記憶部をさらに備える、
こととしてもよい。
【００１５】
前記認証コード記憶部は、前記被検者毎に前記認証コードを記憶し、
前記認証部は、抽出した被検者本人に対応する前記認証コードを読み込んで、認証を行う、
こととしてもよい。
【００１６】
本発明の第２の観点に係る管理方法は、
複数の人物の顔を含む画像を表示画面に表示する表示ステップと、
前記表示画面を見る被検者の視線方向を検出し、検出した視線方向に基づいて、前記被検者が注視する画像に対応する人物を特定する人物特定ステップと、
前記人物特定ステップで特定された人物に基づいて、前記被検者の認証処理又はデータ処理を行う処理ステップと、
を含む。
【００１７】
本発明の第３の観点に係るプログラムは、
コンピュータを、
複数の人物の顔を含む画像を表示画面に表示する表示部、
前記表示画面を見る被検者の視線方向を検出し、検出した視線方向に基づいて、前記被検者が注視する画像に対応する人物を特定する人物特定部、
前記人物特定部で特定された人物に基づいて、前記被検者の認証処理又はデータ処理を行う処理部、
として機能させる。
【発明の効果】
【００１８】
本発明によれば、複数の人物の顔画像から被検者が注視する人物を特定し、特定された人物を用いて認証処理等を行う。すなわち、本発明では、数字ではなく人物を用いて認証処理を行うので、その人物を知らない者が被検者になりすますのが困難になる。この結果、セキュリティレベルをより高くすることができる。
【図面の簡単な説明】
【００１９】
【図１】本発明の実施の形態に係る認証システムの構成を示すブロック図である。
【図２】図２（Ａ）は、表示画像を表示する表示画面の一例を示す図である。図２（Ｂ）は、表示画像の一例である。
【図３】被検者の視線と表示画面内の位置との関係を検出する処理を示す図である。
【図４】表示画面に表示された表示画像中の人物の顔の領域の一例を示す図である。
【図５】座標範囲とキー値との割り当てテーブルを示す図である。
【図６】認証コードの一例を示す図である。
【図７】本発明の実施の形態に係る認証システムの動作を示すフローチャートである。
【図８】図８（Ａ）は、表示画像の表示位置が固定された状態での被検者の視線の軌跡を示す図である。図８（Ｂ）は、表示画像の表示位置をランダムに変更した状態での被検者の視線の軌跡を示す図である。
【図９】認証システムの構成の変形例（その１）を示すブロック図である。
【図１０】認証システムの動作の変形例（その１）を示すフローチャートである。
【図１１】認証システムの構成の変形例（その２）を示すブロック図である。
【図１２】認証システムの動作の変形例（その２）を示すフローチャートである。
【図１３】認証システムの構成の変形例（その３）を示すブロック図である。
【発明を実施するための形態】
【００２０】
以下、本発明の実施の形態について図面を参照して詳細に説明する。なお、以下の図面では、各構成部材の大きさや構成部材間の位置関係が実際のものとは異なる場合がある。また、以下の図面において、同一又は相当部分には同一符号を付す。
【００２１】
図１に示すように、認証システム１は、被検者Ｐに対して、例えば、ある部屋への入室を許可する際に認証を行う認証システムである。認証システム１は、表示ディスプレイ２と、視線検出センサ３と、情報処理部４と、を備える。
【００２２】
表示ディスプレイ２は、画像を表示する表示画面２Ａを有する。表示画面２Ａとしては、液晶や有機ＥＬなどが用いられる。表示画面２Ａは、被検者Ｐが視認可能な位置（例えば、セキュリティ対象である部屋のドア近傍の壁等）に設置されている。図２（Ａ）に示すように、表示画面２Ａの一部には、表示画像２Ｂが表示される。表示画面２Ａにおける表示画像２Ｂの表示位置は、ランダムに変更可能となっている。
【００２３】
表示画像２Ｂは、図２（Ｂ）に示すように、複数の人物の顔を含む画像である。この画像の人物には、認証コードを構成する人物が含まれている。本実施の形態に係る認証システム１は、数字などではなく、人物の顔画像によって認証を行うのが大きな特徴の１つである。
【００２４】
また、本実施の形態では、認証コードを構成する人物は、セキュリティ対象に属する人物である。このようにすれば、外部の人間には、表示画像２Ｂ内の人物が誰であるのかが不明なので、認証コードの秘匿性をさらに高めることができる。
【００２５】
視線検出センサ３は、表示画面２Ａを見る被検者Ｐの視線Ｓを検出する。視線検出センサ３は、赤外線を出射するＬＥＤ及び赤外線を受光する受光素子を内蔵している。視線検出センサ３は、図１に示すように、赤外線ＬＥＤから赤外線を被検者Ｐの目に向けて投射し、瞳孔からの反射光を、受光素子で受光する。視線検出センサ３は、その受光結果に基づいて、被検者Ｐの視線Ｓの方向を推定する。
【００２６】
図３に示すように、表示画面２Ａの画像の表示位置は、ＸＹ座標系で規定されている。ＸＹ座標系では、表示画面２Ａの左上隅が原点となっており、横軸がＸで縦軸がＹとなっている。視線検出センサ３は、被検者Ｐの視線Ｓの方向を検出し、その視線Ｓが、ＸＹ座標系のどの位置（ｘ、ｙ）に交差しているかを検出する。
【００２７】
視線Ｓの方向と、ＸＹ座標系の位置（ｘ、ｙ）とを対応づけるため、視線検出センサ３では、予めキャリブレーションが行われる。具体的には、表示画面２Ａの４隅に表示されたマークＭ１、Ｍ２、Ｍ３、Ｍ４を被検者Ｐが見たときの視線Ｓ１，Ｓ２，Ｓ３，Ｓ４の方向を検出し、検出されたマークＭ１、Ｍ２、Ｍ３、Ｍ４を見たときの被検者Ｐの視線Ｓ１，Ｓ２，Ｓ３，Ｓ４の方向との関係に基づいて、被検者Ｐの視線Ｓから表示画面２Ａ上の位置（ｘ，ｙ）を算出する。
【００２８】
情報処理部４は、コンピュータであり、ＣＰＵ等の制御部５と、ハードディスク等で構成される記憶部６とを備える。制御部５が、記憶部６に記憶されたプログラム７を実行することにより、情報処理部４の機能が発揮される。
【００２９】
制御部５がプログラム７を実行することにより、その機能が実現される構成要素が、表示部１０、人物特定部１２及び処理部としての認証部１３である。また、記憶部６には、表示画像記憶部１１及び認証コード記憶部１４が構築されている。
【００３０】
表示部１０は、表示ディスプレイ２と接続し、表示ディスプレイ２を制御するプログラムが実行されることにより実現される。表示部１０は、複数の人物の顔を含む表示画像２Ｂを表示画面２Ａに表示する。表示画像記憶部１１には、表示画像２Ｂのデータが記憶されている。表示部１０は、表示画像記憶部１１からこのデータを読み込んで、表示ディスプレイ２の表示画面２Ａに、読み込んだデータに対応する表示画像２Ｂを表示する。表示部１０は、表示画面２Ａにおける表示画像２Ｂの表示位置をランダムに決定し、決定した位置に表示画像２Ｂを表示させる。
【００３１】
人物特定部１２は、被検者Ｐが注視する人物を特定するプログラムが実行されることにより実現される。人物特定部１２は、表示画面２Ａを見る被検者Ｐの視線Ｓの方向を検出する。続いて、人物特定部１２は、検出した視線Ｓの方向に基づいて、被検者Ｐが注視する顔画像に対応する人物を特定する。
【００３２】
図４に示すように、表示ディスプレイ２の表示画面２Ａの一部には、表示画像２Ｂが表示されている。表示画像２Ｂには、複数の人物の顔の画像が表示されている。各人の顔画像が表示されている領域を領域Ａ１，Ａ２，Ａ３，…とする。人物特定部１２は、被検者Ｐの視線Ｓに対応する表示画面２Ａの位置（ｘ、ｙ）が領域Ａ１，Ａ２，Ａ３，…のうちのどの領域に入っているかによって、被検者Ｐがどの人物を注視しているかを特定する。
【００３３】
表示画面２Ａに表示画像２Ｂを表示すると、表示部１０は、表示画面２Ａにおける表示画像２Ｂの表示位置に基づいて、表示画像２Ｂ内の人物の顔画像の領域Ａ１，Ａ２，Ａ３，…を規定し、規定された領域Ａ１，Ａ２，Ａ３，…に人物（キー値）を割り当てたテーブルを作成する。図５には、このテーブルの一例が示されている。このテーブルの情報は、人物特定部１２に出力される。人物特定部１２は、このテーブルを参照して、被検者Ｐが注視している人物を特定する。
【００３４】
なお、キー値の入力が１つ完了する度に、表示画面２Ａにおける表示画像２Ｂの表示位置はランダムに変化する。表示部１０は、表示画像２Ｂの表示位置を変更する度に、座標範囲とキー値とのテーブルを作成し、人物特定部１２に出力する。
【００３５】
認証部１３は、被検者Ｐの認証を行うプログラムが実行されることにより実現される。認証コード記憶部１４は、表示画面２Ａに表示された画像に対応する人物で表現される認証コードを記憶する。認証部１３は、認証コード記憶部１４から認証コードを読み込む。認証部１３は、人物特定部１２で特定された人物から成るコードと、認証コード記憶部１４から読み込まれた認証コードとが一致することにより、被検者Ｐを認証する。例えば図６に示すように、特定された人物によるコードが鹿嶋−高木−福田−山下である場合、認証コードも、鹿嶋−高木−福田−山下であれば、認証成功となる。
【００３６】
次に、本実施の形態に係る認証システム１の動作について説明する。
【００３７】
図７に示すように、まず、複数の人物の顔を含む画像を表示する表示ステップが実行される（ステップＳ１）。表示ステップにおいて、まず、表示部１０は、表示画像２Ｂをランダムな位置に表示する（ステップＳ１１）。続いて、表示部１０は、各人物の顔画像の座標範囲とキー値との割り当てテーブルを生成する（ステップＳ１２）。
【００３８】
続いて、表示画面を見る被検者Ｐの視線Ｓの方向を検出し、検出した視線Ｓの方向に基づいて、被検者Ｐが注視する画像に対応する人物を特定する人物特定ステップが行われる（ステップＳ２）。人物特定ステップにおいて、人物特定部１２は、視線検出センサ３で検出された情報に基づいて、被検者Ｐの視線Ｓの情報を検出し、表示画面２Ａにおける注視する位置を検出する（ステップＳ１３）。続いて、人物特定部１２は、視線Ｓが０．５秒以上領域内に留まるまで待つ（ステップＳ１４；Ｎｏ）。視線Ｓが同じ領域に０．５秒以上留まれば（ステップＳ１４；Ｙｅｓ）、人物特定部１２は、座標範囲に対応するキー値をキー配列に格納する（ステップＳ１５）。続いて、人物特定部１２は、コードの取得が完了したか否かを判定する（ステップＳ１６）。
【００３９】
コードの取得が完了していなければ（ステップＳ１６；Ｎｏ）、ステップＳ１１に戻り、表示ステップ（ステップＳ１）及び人物特定ステップ（ステップＳ２）を再び行う。ここで、ステップＳ１１では、表示画面２Ａにおける表示画像２Ｂの表示位置がランダムに変更される。
【００４０】
図８（Ａ）に示すように、表示画像２Ｂの表示位置を動かさない場合には、被検者Ｐの視線Ｓの軌跡は、表示画像２Ｂ内の人物の位置のみに依存するが、図８（Ｂ）に示すように、表示画像２Ｂの表示位置をランダムに動かした場合には、被検者Ｐの視線Ｓの軌跡もランダムに変化するようになる。このようにすれば、例えば、被検者Ｐを正面から見た場合でも、被検者Ｐの視線Ｓを追って認証コードを解読するのが極めて困難になる。
【００４１】
図７に戻り、コードの取得が完了した場合（ステップＳ１６；Ｙｅｓ）、表示画面２Ａに表示された画像に対応する人物で表現される認証コードと、人物特定部１２で特定された人物から成るコードとが一致することにより、被検者Ｐを認証する認証ステップ（処理ステップ）が行われる（ステップＳ３）。認証ステップにおいて、認証部１３は、認証コード記憶部１４から認証コードを読み込む（ステップＳ１７）。続いて、認証部１３は、取得されたコードと、認証コードと一致するか否かを判定する（ステップＳ１８）。取得されたコードと認証コードとが一致した場合（ステップＳ１８；Ｙｅｓ）、認証部１３は、認証が成功したと判定する（ステップＳ１９）。一方、取得されたコードと認証コードとが一致しなかった場合（ステップＳ１８；Ｎｏ）、認証部１３は、認証が失敗したと判定する（ステップＳ２０）。ステップＳ１９又はＳ２０終了後、認証システム１は、処理を終了する。
【００４２】
なお、本実施の形態に係る認証システム１では、表示画像２Ｂ内の人物の数が多ければ多いほど、その組み合わせの数が多くなるので、セキュリティレベルを上げることができる。しかしながら、表示画像２Ｂ内の人物の数が多ければ多いほど、各人物の顔画像の大きさは小さくなり、被検者Ｐが特定の人物の顔画像に視線Ｓを集中させるのが困難になるため、人物の数は、被検者Ｐが各人物の顔画像に視線Ｓを集中させることができる程度の数にするのが望ましい。
【００４３】
また、表示画像２Ｂの大きさが小さければ小さいほど、被検者Ｐの視線Ｓをランダムに変化させることができるので、セキュリティレベルを向上させることができる。しかしながら、表示画像２Ｂを小さくすればそれだけ各人物の顔の大きさは小さくなり、被検者Ｐがその人物の顔に視線Ｓを集中させるのが困難になるため、人物の数は、被検者Ｐが各人物の顔に視線Ｓを集中させることができる程度の数にするのが望ましい。
【００４４】
また、本実施の形態では、認証コードのキーの数を４つとしたが、本発明はこれには限られない。認証コードの長さは長ければ長いほど、セキュリティレベルを高くすることができる。しかしながら、認証コードの長さは３以下であってもよいし、５以上であってもよい。
【００４５】
以上詳細に説明したように、本実施の形態によれば、複数の人物の顔画像から、被検者Ｐが注視する人物を特定し、特定された人物を用いて認証処理等を行う。すなわち、本実施の形態では、数字ではなく人物を用いて認証処理を行うので、その人物を知らない者が被検者Ｐになりすますのが困難になる。この結果、セキュリティレベルをより高くすることができる。
【００４６】
また、本実施の形態によれば、被検者Ｐの視線Ｓの方向を検出して認証を行うので、外部からその視線Ｓの方向を追って認証コードを推測することが困難である。特に、横からの覗き見、背後からの盗撮に対して頑強である。
【００４７】
また、本実施の形態によれば、被検者Ｐの視線Ｓの方向を入力とするので、非接触にコード入力を行うことができるためコード入力の痕跡を残さないようにすることができる。これにより、セキュリティレベルをさらに向上することができる。また、被検者Ｐは視線Ｓを動かすだけで認証ができるので、バリアフリーな認証システムを構築することができる。
【００４８】
また、本実施の形態によれば、表示部１０は、人物特定部１２で人物が特定される度に、表示画面２Ａに表示される表示画像２Ｂの位置をランダムに変化させる。このようにすれば、被検者Ｐの視線Ｓの方向から、認証コードを追跡し解読することがより困難になるので、セキュリティレベルをさらに向上することができる。
【００４９】
なお、上記実施の形態では、表示画像２Ｂの位置をランダムに変化させたが、表示画像２Ｂ中の人物の顔画像の配列をランダムに変更するようにしてもよい。
【００５０】
また、上記実施の形態によれば、認証コードを表現する人物を、セキュリティ対象に属する人物に限定する。このようにすれば、外部の人間がコードを追跡し解読することが困難になるので、セキュリティレベルをさらに向上することができる。例えば、仮に認証コードが外部に漏洩した場合、認証コードに用いられる人物が有名人や歴史上の人物であれば、外部の人間でも入力が可能となるが、「山下、松本、高木、内田」というように内部の人物でコードを構成することにより、外部の人間がそのコードを入力することが困難になる。
【００５１】
また、認証を突破されてしまった場合の対応として、指紋認証や静脈認証等の身体的特徴で認証を行う場合には、認証方法の変更が困難になる。これに対して、認証システム１によれば、認証コードに用いる人物又はその順番を変更するだけで認証コードを容易に変更することができる。
【００５２】
また、本実施の形態によれば、人物特定部１２は、被検者Ｐが閾値０．５秒を超えて同じ人物の顔画像を見続けた場合に、その顔画像に対応する人物を被検者Ｐが注視する人物として特定した。このようにすれば、被検者Ｐが注視する人物を確実に特定することができる。しかしながら、閾値となる時間は０．５秒以外であってもよい。
【００５３】
このように、上記実施の形態では、被検者Ｐが特定の人物の顔画像を閾値となる時間だけ注視することで、人物を特定したが、これには限られない。例えば、被検者Ｐが特定の人物の顔画像を注視しつつ、まばたきをした場合に、その人物を特定したと判断しても良い。
【００５４】
また、本実施の形態によれば、複数の人物の顔を含む画像として集合写真を用いた。日頃撮像された集合写真を用いることにより、画像を改めて用意する必要がなくなる。しかしながら、本発明はこれには限られない。個々の人物の顔画像（例えば証明写真）を組み合わせて複数の人物の顔を含む画像を構成し、その画像を用いるようにしてもよい。また、集合写真を複数枚用意し、ランダムにいずれかの集合写真の画像を選択して、表示画面２Ａに表示するようにしてもよい。
【００５５】
なお、表示部１０が表示する画像中に被検者Ｐ本人が含まれている場合には、認証部１３は、認証を行うに当たり、人物特定部１２で特定された人物の中から、被検者Ｐ本人を抽出するようにしてもよい。
【００５６】
例えば、図９に示すように、認証システム１は、認証部１３が認証に成功し、被検者Ｐ本人を抽出すると、抽出した被検者Ｐ本人の認証時刻を記憶する認証時刻記憶部１５をさらに備えるようにしてもよい。認証部１３は、認証が成功した時点で、認証時刻記憶部１５に認証時刻を記憶させる。
【００５７】
具体的には、図１０に示すように、表示ステップ（ステップＳ１）、人物特定ステップ（ステップＳ２）、認証ステップ（ステップＳ３）を実行した後に、認証時刻記憶ステップを行う（ステップＳ４）。認証時刻記憶ステップでは、図７に示すステップＳ１３〜Ｓ１５を実行して、人物特定部１２が、被検者Ｐが注視した人物を被検者Ｐ本人として抽出し、認証部１３が、認証時刻と被検者Ｐ本人とを対応付けて認証時刻記憶部１５に記憶すればよい。
【００５８】
このようにすれば、セキュリティ対象となる施設への被検者Ｐの認証時刻を管理することができる。
【００５９】
また、図１１に示すように、認証コード記憶部１４は、セキュリティ対象にアクセスする権限を有する人物毎に、認証コードを記憶するようにしてもよい。認証部１３は、人物特定部１２で最初に特定された人物に対応する認証コードを認証コード記憶部１４から読み込んで、認証を行う。
【００６０】
具体的には、図１２に示すように、表示ステップ（ステップＳ１）を行って、本人特定ステップを行う（ステップＳ５）。本人特定ステップでは、図７に示すステップＳ１３〜Ｓ１５を実行して、人物特定部１２が、被検者Ｐが注視した人物を被検者Ｐ本人として抽出すればよい。その後、認証システム１は、上記実施の形態１と同様に、表示ステップ（ステップＳ１）、人物特定ステップ（ステップＳ２）及び認証ステップ（ステップＳ３）を行い、ステップＳ１７で、被検者Ｐ本人の認証コードを読み込み、その後の認証を行うようにすればよい。
【００６１】
このようにすれば、個人個人で別々の認証コードを保有することができるので、セキュリティレベルをさらに向上することができる。
【００６２】
また、図１３に示すように、認証システム１に撮像センサ８を付加し、認証部１３で顔認証機能を行うことにより、被検者Ｐ本人を特定し、特定した被検者Ｐに対応する認証コードを認証コード記憶部１４から読み込んで認証を行うようにしてもよい。
【００６３】
また、上記実施の形態では、人物を特定する順番も正確である必要があったが、本発明はこれには限られない。表示画像２Ｂに写る人物のうち、特定の人物を順不同で視線Ｓで指定するだけで、入室できるようにしてもよい。このようなシステムを用いれば、例えば、複数の人物のうち、アイドルグループのメンバーが写った画像を表示し、メンバーを全て注視した者だけアイドルのコンサート会場への入室を許可するようなシステムにも本発明を適用することが可能となる。
【００６４】
セキュリティ対象は、部屋や建物には限られない。パーソナルコンピュータへのアクセス権限であってもよいし、表示画像２Ｂに写る特定の人物をキーとしてタイムカプセルが開くようなシステムにも本発明を適用することができる。
【００６５】
また、上記実施の形態では、セキュリティ対象に対するアクセスの被検者Ｐの認証処理を行ったが、本発明はこれには限られない。複数の人物の顔画像を表示し、被検者Ｐが注視した人物の人気投票を行うような特定の人物に関するデータ処理を行うシステムにも本発明を適用することができる。
【００６６】
上記実施の形態の動作を行うプログラムを記述するステップは、記載された順序に沿って時系列に行われる処理であるが、必ずしも時系列に処理されなくても、並列的又は個別に実行される処理を含んでいてもよい。
【００６７】
上記実施の形態において、システムとは、複数の装置で構成される装置全体又は複数の機能で構成される機能全体を表すものである。
【００６８】
その他、認証システム１のハードウエア構成やソフトウエア構成は一例であり、任意に変更および修正が可能である。
【００６９】
制御部５及び記憶部６などから構成される認証システム１の処理を行う中心となる部分は、専用のシステムによらず、通常のコンピュータシステムを用いて実現可能である。例えば、前記の動作を実行するためのコンピュータプログラムを、コンピュータが読み取り可能な記録媒体（フレキシブルディスク、ＣＤ−ＲＯＭ、ＤＶＤ−ＲＯＭ等）に格納して配布し、当該コンピュータプログラムをコンピュータにインストールすることにより、前記の処理を実行する認証システム１を構成してもよい。また、インターネット等の通信ネットワーク上のサーバ装置が有する記憶装置に当該コンピュータプログラムを格納しておき、通常のコンピュータシステムがダウンロード等することで認証システム１を構成してもよい。
【００７０】
認証システム１の機能を、ＯＳ（オペレーティングシステム）とアプリケーションプログラムの分担、またはＯＳとアプリケーションプログラムとの協働により実現する場合などには、アプリケーションプログラム部分のみを記録媒体や記憶装置に格納してもよい。
【００７１】
搬送波にコンピュータプログラムを重畳し、通信ネットワークを介して配信することも可能である。例えば、通信ネットワーク上の掲示板（BBS, Bulletin Board System）にコンピュータプログラムを掲示し、ネットワークを介してコンピュータプログラムを配信してもよい。そして、このコンピュータプログラムを起動し、ＯＳの制御下で、他のアプリケーションプログラムと同様に実行することにより、前記の処理を実行できるように構成してもよい。
【００７２】
この発明は、この発明の広義の精神と範囲を逸脱することなく、様々な実施の形態及び変形が可能とされるものである。また、上述した実施の形態は、この発明を説明するためのものであり、この発明の範囲を限定するものではない。すなわち、この発明の範囲は、実施の形態ではなく、特許請求の範囲によって示される。そして、特許請求の範囲内及びそれと同等の発明の意義の範囲内で施される様々な変形が、この発明の範囲内とみなされる。
【産業上の利用可能性】
【００７３】
この発明は、セキュリティ対象へのアクセスに対して認証を行うのに用いることができる。
【符号の説明】
【００７４】
１  認証システム、２  表示ディスプレイ、２Ａ  表示画面、２Ｂ  表示画像、３  視線検出センサ、４  情報処理部、５  制御部、６  記憶部、７  プログラム、８  撮像センサ、１０  表示部、１１  表示画像記憶部、１２  人物特定部、１３  認証部、１４  認証コード記憶部、１５  認証時刻記憶部、Ｍ１，Ｍ２，Ｍ３，Ｍ４  マーク、Ｐ  被検者、Ｓ、Ｓ１、Ｓ２、Ｓ３、Ｓ４  視線
【図１】
2018195141.tif 000003
【図２】
2018195141.tif 000004
【図３】
2018195141.tif 000005
【図４】
2018195141.tif 000006
【図５】
2018195141.tif 000007
【図６】
2018195141.tif 000008
【図７】
2018195141.tif 000009
【図８】
2018195141.tif 000010
【図９】
2018195141.tif 000011
【図１０】
2018195141.tif 000012
【図１１】
2018195141.tif 000013
【図１２】
2018195141.tif 000014
【図１３】
2018195141.tif 000015